(57)【要約】      （修正有）【課題】インターネットを用いて、利用者が新鮮なもしくは旬の商品を効率よく探すことを可能にした商品検索システムを提供する。【解決手段】利用者端末１００を利用して商品を検索するための商品検索システム１０である。商品検索システムは、管理装置２００を備える。管理装置は、商品情報を格納するための商品情報ＤＢ２５２と、商品情報ＤＢから商品を検索するための商品検索部２２０と、利用者端末に表示させるための商品検索画面を作成するための商品検索画面作成手段とを含む。商品情報は、カテゴリの項目および商品の特徴を示すキーワード情報の項目を含む。商品検索画面は、商品情報に基づいて作成されたカテゴリの項目のリストを選択可能に表示するためのカテゴリ選択領域と、商品情報に基づいて作成された複数のキーワード情報の項目に対応する各項目リストを選択可能に表示するためのキーワード選択領域とを含む。【選択図】図１
0003191296.tif 000002
【実用新案登録請求の範囲】
【請求項１】
利用者端末と管理装置とがネットワークを介して接続されており、前記利用者端末を利用して商品を検索するための商品検索システムであって、
前記管理装置は、
商品情報を格納するための商品情報データベースと、
前記商品情報データベースから商品を検索するための商品検索手段と、
前記利用者端末に表示させるための商品検索画面を作成するための商品検索画面作成手段と、
を含み、
前記商品情報は、カテゴリの項目および商品の特徴を示すキーワード情報の項目を含み、
前記商品検索画面は、前記商品情報に基づいて作成された前記カテゴリの項目のリストを選択可能に表示するためのカテゴリ選択領域と、前記商品情報に基づいて作成された複数の前記キーワード情報の項目のそれぞれに対応する各項目リストを選択可能に表示するためのキーワード選択領域とを含むことを特徴とする、商品検索システム。
【請求項２】
前記利用者端末に表示される前記商品検索画面において、前記カテゴリ選択領域において選択可能に表示されたカテゴリの項目のリストから選択されたカテゴリに対応した複数の前記キーワード情報の項目が、前記キーワード選択領域に表示されることを特徴とする、請求項１に記載の商品検索システム。
【請求項３】
前記商品情報は、さらに、商品を管理するための識別情報の項目を含み、前記商品を管理するための識別情報には、少なくとも掲載期間情報を含むことで、前記商品検索手段による商品検索の結果、前記掲載期間情報に該当する商品のリストが前記利用者端末に表示されることを特徴とする、請求項１または請求項２に記載の商品検索システム。
【請求項４】
さらに、販売者端末を含み、
前記管理装置は、前記利用者端末から前記商品検索画面に基づき選択された商品を発注する発注情報を受信したことを前記販売者端末に電子メールにより知らせるためのメール送受信手段を含むことを特徴とする、請求項１ないし請求項３のいずれかに記載の商品検索システム。
【請求項５】
前記販売者端末は、
複数の商品に対する前記商品情報のリストファイルを作成する機能と、
前記商品情報データベースに商品情報を登録するために、前記作成されたリストファイルを前記管理装置における前記商品情報データベースに対して送信する機能と、
を含むことを特徴とする、請求項４に記載の商品検索システム。
【考案の詳細な説明】
【技術分野】
【０００１】
本考案は、ネットワークを介した商品検索システムであって、特に、鮮度の高い商品を対象とした商品検索システムに関する。
【背景技術】
【０００２】
近年、インターネットを用いた商品等の販売を目的とした商品検索システムが広く普及してきている。そのような商品検索システムとして、たとえば、特許文献１に開示されているようなインターネットを用いて所望の商品を探し出し、その探し出された商品を購入するためのシステムが提案されている。
【０００３】
特許文献１に記載のシステムは、複数の商店が各々の商品をインターネット上で販売する電子デパートシステムである。この電子デパートシステムは、各商品毎に商店名、商品属性を持たせた商品データベースと、商品データベースから商品を検索する商品検索手段と、商品属性を入力して、その属性に対応した商品を表示できるホームページとを備え、通信装置端末でインターネットを介して電子デパートのホームページにアクセスし、商品の属性を入力し、商品検索手段で商品データベースを検索すると、その属性に対応した商品が表示され、その商品を販売している商店と販売契約するとしたシステムである（特許文献１を参照）。
【先行技術文献】
【特許文献】
【０００４】
【特許文献１】特開２００２−９２４０１号公報
【考案の概要】
【考案が解決しようとする課題】
【０００５】
しかしながら、特許文献１において提案されるシステムでは、検索条件に合致する商品の数を表示し、適当なヒット数になるまで繰り返し、適当な数になると品名の一覧を表示するシステムとして開示されてはいるが、どのように商品のヒット数を絞り込むのかの手順もしくは方法については、なんら明らかにされていない。
また、特許文献１において提案されるシステムは、複数の商店が各々の商品をインターネット上で販売するシステムであり、安全かつ安心が要求される鮮度の高い商品を取り扱うとするシステムではない問題を有している。
【０００６】
それゆえに、この考案の主たる目的は、インターネットを用いて、利用者が鮮度の高い商品、すなわち、新鮮なもしくは旬の商品を効率よく探すことを可能にした商品検索システムを提供することである。
【課題を解決するための手段】
【０００７】
この考案にかかる商品検索システムは、利用者端末と管理装置とがネットワークを介して接続されており、利用者端末を利用して商品を検索するための商品検索システムであって、管理装置が、商品情報を格納するための商品情報データベースと、商品情報データベースから商品を検索するための商品検索手段と、利用者端末に表示させるための商品検索画面を作成するための商品検索画面作成手段と、を含み、商品情報が、カテゴリの項目および商品の特徴を示すキーワード情報の項目を含み、商品検索画面が、商品情報に基づいて作成されたカテゴリの項目のリストを選択可能に表示するためのカテゴリ選択領域と、商品情報に基づいて作成された複数のキーワード情報の項目のそれぞれに対応する各項目リストを選択可能に表示するためのキーワード選択領域とを含むことを特徴とする、商品検索システムである。
また、この考案にかかる商品検索システムは、利用者端末に表示される商品検索画面において、カテゴリ選択領域において選択可能に表示されたカテゴリの項目のリストから選択されたカテゴリに対応した複数のキーワード情報の項目が、キーワード選択領域に表示されることが好ましい。
さらに、この考案にかかる商品検索システムは、商品情報が、さらに、商品を管理するための識別情報の項目を含み、商品を管理するための識別情報には、少なくとも掲載期間情報を含むことで、商品検索手段による商品検索の結果、掲載期間情報に該当する商品のリストが利用者端末に表示されることが好ましい。
また、この考案にかかる商品検索システムは、さらに、販売者端末を含み、管理装置は、利用者端末から商品検索画面に基づき選択された商品を発注する発注情報を受信したことを販売者端末に電子メールにより知らせるためのメール送受信手段を含むことが好ましい。
さらに、この考案にかかる商品検索システムは、販売者端末が、複数の商品に対する商品情報のリストファイルを作成する機能と、商品情報データベースに商品情報を登録するために、作成されたリストファイルを管理装置における商品情報データベースに対して送信する機能と、を含むことが好ましい。
【０００８】
この考案にかかる商品検索システムによれば、管理装置が、商品情報を格納するための商品情報データベースと、商品情報データベースから商品を検索するための商品検索手段と、利用者端末に表示させるための商品検索画面を作成するための商品検索画面作成手段と、を含み、商品情報が、カテゴリの項目および商品の特徴を示すキーワード情報の項目を含み、商品検索画面が、商品情報に基づいて作成されたカテゴリの項目のリストを選択可能に表示するためのカテゴリ選択領域と、商品情報に基づいて作成された複数のキーワード情報の項目のそれぞれに対応する各項目リストを選択可能に表示するためのキーワード選択領域とを含むので、商品検索システムにおいて、効率的に、所望の商品を検索し、選択することができる。
また、利用者端末に表示される商品検索画面において、カテゴリ選択領域において選択可能に表示されたカテゴリの項目のリストから選択されたカテゴリに対応した複数のキーワード情報の項目が、キーワード選択領域に表示される場合は、商品を検索する際に、適切なキーワード情報の項目からキーワードを選択することが可能となることから、商品の検索も効率よく行うことができ、その結果、商品リストの画面において表示される商品同士の比較も適切に行うことができる。
さらに、商品情報が、さらに、商品を管理するための識別情報の項目を含み、商品を管理するための識別情報には、少なくとも掲載期間情報を含む場合は、利用者端末に商品リストの画面に表示される商品リストには鮮度の高い旬の商品のみが表示されるので、安心かつ安全な商品選びを行うことができる。
また、販売者端末を含み、管理装置は、利用者端末から商品検索画面に基づき選択された商品を発注する発注情報を受信したことを販売者端末に電子メールにより知らせるためのメール送受信手段を含むので、販売者は、商品が発注されたことを迅速に知ることができる。
さらに、販売者端末が、複数の商品に対する商品情報のリストファイルを作成する機能と、商品情報データベースに商品情報を登録するために、作成されたリストファイルを管理装置における商品情報データベースに対して送信する機能と、を含むので、予め複数の商品に対する商品情報のリストファイルを作成しておくことで、多数の商品の商品情報を同時に商品情報データベースに登録することができる。
【考案の効果】
【０００９】
この考案によれば、インターネットを用いて、利用者により鮮度の高い商品、すなわち、新鮮なもしくは旬の商品を効率よく探すことを可能にした商品検索システムが得られる。
【００１０】
この考案の上述の目的、その他の目的、特徴および利点は、図面を参照して行う以下の考案を実施するための形態の説明から一層明らかとなろう。
【図面の簡単な説明】
【００１１】
【図１】この考案にかかる商品検索システムにおける一実施の形態の構成例を示す図解図である。
【図２】この考案にかかる商品検索システムにおける商品情報ＤＢに格納される商品情報のデータベース構造の説明図である。
【図３】この考案にかかる商品検索システムを用いた商品検索の処理フローを説明するためのフロー図である。
【図４】この考案にかかる商品検索システムを用いた商品検索の処理フローを説明するためのフロー図である。
【図５】この考案にかかる商品検索をするための商品検索画面の一例を示す図であり、（ａ）は商品検索画面の主画面を示し、（ｂ）は商品検索画面により抽出された商品リストを示したリスト画面を示す。
【図６】この考案にかかる商品検索をするための商品検索画面の別の例を示す図であり、（ａ）は商品検索画面の主画面を示し、（ｂ）は商品検索画面により抽出された商品リストを示したリスト画面を示す。
【考案を実施するための形態】
【００１２】
図１は、本考案にかかる商品検索システムにおける一実施の形態の構成例を示す図解図である。図２は、この考案にかかる商品検索システムにおける商品情報データベースに格納される商品情報のデータベース構造の説明図である。
商品検索システム１０は、本システムを導入することにより、利用者が、利用者端末であるパソコン等の端末や携帯端末等から効率的に新鮮なもしくは旬の商品を効率よく検索し、選択することを可能としたシステムである。
【００１３】
商品検索システム１０は、本システムを介して商品を検索するための利用者端末１００と、商品情報や商品検索のプログラム等を管理するための管理装置２００と、管理装置２００を管理するための管理者端末３００とから構成されており、ネットワーク４００を介して、それぞれが接続されている。また、商品検索システム１０は、本システムに対して、商品を購入するために行われる発注処理により、利用者端末１００から発注情報が送信されてきた場合に、その発注情報について、電子メール等を利用して販売者元にお知らせするための販売者端末５００が、ネットワーク４００に接続されている。
【００１４】
利用者端末１００は、管理装置２００が管理している商品検索システム１０に対して、所望の商品を検索するために用いられる端末である。利用者端末１００は、データ入力部１１０および表示部１２０を含む。利用者は、利用者端末１００の表示部１２０に対して管理装置２００より提示された商品検索画面から、たとえば、後述する大分類や小分類として設定されたカテゴリを、データ入力部１１０を用いて選択し、同時に商品個別の複数のキーワード情報の項目のリストからそれぞれ選択するようにして該当する商品の抽出を行い、所望の商品を選択する。そして、選択された商品の発注処理を行うことで、該発注情報が管理装置２００に送信される。これにより、利用者は、利用者端末１００を用いて、所望の商品を入手することができる。
【００１５】
利用者端末１００は、さらに、インターネット等のネットワーク４００に接続可能な通信機器（図示せず）を含み、ＷＷＷブラウザアプリケーションおよびメールクライアントアプリケーションのインストールされたパーソナルコンピュータが、主に使用される。なお、利用者端末１００は、携帯電話もしくはスマートフォン等の携帯端末やタブレット端末により構成されてもよい。また、本考案にかかる商品検索システム１０において、好ましくは、利用者端末１００は複数の端末を含んでいる。
【００１６】
管理装置２００は、商品検索システム１０において管理される商品情報を管理したり、利用者端末１００からの商品検索システム１０への商品検索画面を表示する要求を受け付けたりするためのサーバである。管理装置２００は、管理部２１０、商品検索部２２０、ＷＷＷサーバ部２３０、メール送受信部２４０およびデータベース部２５０を含む。データベース部２５０は、商品情報データベース（以下、商品情報ＤＢという）２５２、利用者情報データベース（以下、利用者情報ＤＢという）２５４および販売者情報データベース（以下、販売者情報ＤＢという）２５６を含む。
【００１７】
管理装置２００は、それぞれ中央処理手段（図示せず）を含み、サーバ内における処理を実行するためのプログラムを格納したメモリ（図示せず）および中央処理手段において各種演算処理を実行するときに使用するプログラムやデータを一時的に格納するためのＲＡＭ（図示せず）を有する。
【００１８】
管理部２１０は、管理装置２００が管理する商品情報を管理するための機能を有する。管理部２１０は、管理者端末３００を用いて、後述するデータベース部２５０を構成する商品情報ＤＢ２５２に商品情報を登録したり、登録された商品情報を削除したり、もしくは商品情報を編集・変更等をするための機能を有する。
【００１９】
図２に示すように、商品情報ＤＢ２５２に登録される商品情報とは、カテゴリの項目として、たとえば、大分類・小分類等に分類されるカテゴリ情報を含む。カテゴリ情報は、たとえば、生鮮食料品や服、靴等のカテゴリや、夏物、秋物等の検索時期に対応しており、そのようなカテゴリが設定される。また、商品情報は、該商品の特徴を示すキーワード情報の項目として、商品名、商品コード、産地情報（場所、収穫日もしくは加工日等）、色の区別、サイズの区別、材質の区別、栄養素の区別、価格、商品の画像情報等の情報を含む。さらに、商品情報は、該商品を管理するための識別情報の項目として、該商品と取り扱う販売者情報（名称・住所・電話番号・メールアドレス等）や、商品を区別するための識別情報、掲載期間情報等を含む。
【００２０】
ここで、掲載期間情報とは、登録された商品を本商品検索システム１０において掲載する期間の情報である。具体的には、掲載期間情報は、たとえば、商品が、新鮮な生鮮食品や新鮮な農作物等の商品である場合は、収穫日もしくは加工日から数日として設定することができ、旬の商品である場合、たとえば、春物、夏物、秋物、冬物等である場合は、商品の登録日から数ヶ月の期間に設定することができる。
【００２１】
商品検索部２２０は、利用者端末１００から要求された商品検索処理に対応する機能を有する。すなわち、商品検索部２２０は、後述する商品検索処理をするための商品検索画面を、ＷＷＷサーバ部２３０を介して利用者端末１００に表示させる機能を有する。商品検索画面は、商品情報に基づいて作成されたカテゴリの項目のリストを選択可能に表示するためのカテゴリ選択領域と、商品情報に基づいて作成された複数のキーワード情報の項目のそれぞれに対応する各項目リストを選択可能に表示するためのキーワード選択領域とを含む。商品検索画面の詳細については、後述する。
【００２２】
ＷＷＷサーバ部２３０は、ＨＴＴＰプロトコルに基づいて、利用者端末１００、管理者端末３００あるいは販売者端末５００に表示される各種の画面データを配信する機能を有する。
具体的に配信される画面データは、たとえば、利用者端末１００に対しては、利用者情報登録画面、商品検索画面等を表示させる。
また、管理者端末３００に対しては、商品情報登録画面等を表示させる。
【００２３】
メール送受信部２４０は、ネットワーク４００を介して、管理装置２００から、利用者端末１００、管理者端末３００もしくは販売者端末５００のそれぞれの端末に対して電子メールを送受信する機能を有する。たとえば、メール送受信２４０は、たとえば、利用者端末１００から受け付けた商品の発注情報を販売者端末５００に送信するための機能を有する。これにより、販売者は、商品が発注されたことを迅速に知ることができる。
【００２４】
データベース部２５０は、商品情報ＤＢ２５２、利用者情報ＤＢ２５４および販売者情報ＤＢ２５６を含む。
【００２５】
商品情報ＤＢ２５２は、管理者端末３００により入力される商品情報が格納する機能を有する。商品情報ＤＢ２５２は、たとえば、図２に示すようなデータベース構造をした商品情報を格納している。
図２に示すように、商品情報は、カテゴリの項目として、たとえば、大分類・小分類等に分類されるカテゴリ情報を含む。カテゴリ情報は、たとえば、生鮮食料品や服、靴等のカテゴリや、夏物、秋物等の検索時期に対応しており、そのようなカテゴリが設定される。また、商品情報は、該商品の特徴を示すキーワード情報の項目として、商品名、商品コード、産地情報（場所、収穫日もしくは加工日等）、色の区別、サイズの区別、材質の区別、栄養素の区別、価格、商品の画像情報等の情報を含む。さらに、商品情報は、該商品を管理するための識別情報の項目として、該商品を取り扱う販売者情報（名称・住所・電話番号・メールアドレス等）や、商品を区別するための識別情報、掲載期間情報等を含む。
【００２６】
ここで、掲載期間情報とは、登録された商品を本商品検索システム１０において掲載する期間の情報である。具体的には、掲載期間情報は、たとえば、商品が、新鮮な生鮮食品や新鮮な農作物等の商品である場合は、収穫日もしくは加工日から数日として設定することができ、旬の商品である場合、たとえば、春物、夏物、秋物、冬物等である場合は、商品の登録日から数ヶ月の期間に設定することができる。
【００２７】
利用者情報ＤＢ２５４は、利用者端末１００により入力される利用者に関する情報を格納する機能を有する。
利用者情報は、たとえば、ＩＤ、利用者の氏名、住所、電話番号、メールアドレス等の情報を含む。該利用者情報は、本考案にかかる商品検索システム１０において、商品を発注する際に利用される。
【００２８】
販売者情報ＤＢ２５６は、販売者端末５００により入力される販売者に関する情報を格納する機能を有する。
販売者情報は、たとえば、ＩＤ、販売者の氏名もしくは名称、住所、電話番号、メールアドレス等の情報を含む。該販売者情報は、商品情報における商品を管理するための識別情報の項目としても利用することができる。
【００２９】
管理者端末３００は、管理者が、管理装置２００が管理している商品情報ＤＢ２５２に対して格納される商品情報を登録したり、登録された商品情報を削除したり、もしくは商品情報を編集・変更等をするための端末である。管理者端末３００は、データ入力部３１０および表示部３２０を含む。管理者は、管理者端末３００の表示部３２０に対して管理装置２００より提示された商品登録画面（図示せず）に対して、適宜、商品情報に関する情報を、データ入力部３１０を用いて入力し、商品情報ＤＢ２５２に該入力された商品情報を登録する。また、管理者は、管理者端末３００の表示部３２０に表示された該商品登録画面を用いて商品情報ＤＢ２５２に登録した商品情報を削除し、もしくは商品情報の編集・変更等を行う。
【００３０】
管理者端末３００は、さらに、インターネットなどのネットワーク４００に接続可能な通信機器を含み、ＷＷＷブラウザアプリケーションおよびメールクライアントアプリケーションがインストールされたパーソナルコンピュータが使用される。なお、管理者端末３００は、携帯電話もしくはスマートフォン等の携帯端末やタブレット端末で構成されてもよい。また、本考案にかかる商品検索システム１０において、管理者端末３００は複数の端末を含んでいてもよい。
【００３１】
販売者端末５００は、利用者端末１００から発注された発注情報について、電子メール等を利用して受信したり、管理装置２００が管理している商品検索システム１０に対して登録される商品を販売している者の情報を登録したりするために用いられる端末である。また、販売者端末５００は、管理装置２００が管理している商品情報ＤＢ２５２に対して格納される商品情報を登録したり、登録された商品情報を削除したり、もしくは商品情報を編集・変更等をするための端末としても用いることができる。販売者端末５００は、データ入力部５１０および表示部５２０を含む。販売者は、販売者端末５００の表示部５２０に対して管理装置２００より提示された商品登録画面（図示せず）に対して、適宜、商品情報に関する情報を、データ入力部５１０を用いて入力し、商品情報ＤＢ２５２に該入力された商品情報を登録する。また、販売者は、販売者端末５００の表示部５２０に表示された該商品登録画面を用いて商品情報ＤＢ２５２に登録した商品情報を削除し、もしくは商品情報の編集・変更等を行う。
【００３２】
販売者端末５００は、さらに、インターネットなどのネットワーク４００に接続可能な通信機器を含み、ＷＷＷブラウザアプリケーションおよびメールクライアントアプリケーションがインストールされたパーソナルコンピュータが使用される。なお、販売者端末５００は、携帯電話もしくはスマートフォン等の携帯端末やタブレット端末で構成されてもよい。また、本考案にかかる商品検索システム１０において、好ましくは、販売者端末５００は複数の端末を含んでいる。
【００３３】
次に、本実施の形態における商品検索システム１０における商品検索処理の一例について説明する。
【００３４】
まず、本考案にかかる商品検索システム１０を利用する場合、予め、本商品検索システム１０の管理者は、管理者端末３００を用いて、商品情報ＤＢ２５２に商品情報の登録を行う。
管理者により登録される商品情報は、カテゴリ、登録する商品の特徴を示すキーワード情報の項目および登録する商品を管理するための識別情報の項目に分類されて登録される。管理者は、管理者端末３００におけるデータ入力部３１０を用いて、表示部３２０に表示される管理装置２００より提示された商品登録画面（図示せず）に対して、適宜、上記の商品情報の入力を行う。
【００３５】
なお、この商品情報ＤＢ２５２への商品情報の登録は、販売者端末５００から行われるようにしてもよい。この場合、販売者端末５００では、管理者端末３００より商品情報を入力する方法と同様の方法を用いることもでき、さらに、カテゴリ、登録する商品の特徴を示すキーワード情報の項目および登録する商品を管理するための識別情報の項目を含む商品情報のリストをファイルとして予め作成しておき、このリストファイルが管理装置２００における管理部２１０において、商品情報ＤＢ２５２に登録可能な形式に適応されるように適宜変更された上で、商品情報ＤＢ２５２に登録されるようにしてもよい。このように、予め複数の商品に対する商品情報のリストファイルを作成しておくことで、多数の商品の商品情報を同時に商品情報ＤＢ２５２に登録することができる。
【００３６】
（商品検索処理）
続いて、図３ないし図６に基づいて、本考案にかかる商品検索システム１０を利用して、利用者が、利用者端末１００から管理装置２００に商品検索を行い、所望の商品を発注する処理について説明する。
【００３７】
図３に示すように、まず、利用者端末１００は、所望の商品を特定するための商品検索を行うための商品検索画面の表示の要求を行う（ステップＳ１００）。
そうすると、管理装置２００における商品検索部２２０において、商品検索画面６００を表示するために、商品情報ＤＢ２５２から大分類カテゴリが抽出され、大分類カテゴリリストが作成される（ステップＳ１０２）。
さらに、商品情報ＤＢ２５２から、予め設定されている複数の商品の特徴を示すキーワード情報の項目をそれぞれ抽出し、複数のキーワード情報の項目の各項目リストを作成した上で（ステップＳ１０４）、作成された大分類カテゴリのリストと作成されたキーワード情報の項目の各項目リストとを含む商品検索画面のＨＴＭＬソースが作成され、利用者端末１００に送信される。
その結果、商品検索部２２０から、図５（ａ）に示すように商品検索画面６００が、ＷＷＷサーバ部２３０を介して、利用者端末１００の表示部１２０に表示される（ステップＳ１０６）。
【００３８】
図５（ａ）に示す利用者端末１００の表示部１２０に表示される商品検索画面６００は、大分類カテゴリリスト６１２がプルダウンメニューとして選択（入力）可能に表示されたカテゴリ選択領域６１０と、複数の商品の特徴を示すキーワード情報の項目リスト６２２が、それぞれプルダウンメニューとして選択（入力）可能に表示されたキーワード選択領域６２０とを有する。
カテゴリ選択領域６１０の上部側には、「検索システム」として見出しが表示されており、その下には、「大分類カテゴリを選択してください。」の見出しが表示されている。そして、カテゴリ選択領域６１０の中央部には、大分類カテゴリリスト６１２の表示されたプルダウンメニューが、カテゴリを選択（入力）することができるように配置される。また、カテゴリ選択領域６１０の下部側には、「次へ」ボタンが配置される。
また、キーワード選択領域６２０の上部側には、「キーワードを選択してください。」の見出しが表示されている。そして、キーワード選択領域６２０の中央部には、複数の商品特徴を示すキーワード情報の項目が配置されており、それぞれの項目ごとのキーワード情報の項目リスト６２２の表示されたプルダウンメニューが、各項目のリストを選択（入力）することができるように配置される。
【００３９】
続いて、利用者端末１００において、大分類カテゴリリスト６１２の表示されるプルダウンメニューからカテゴリの選択（入力）が行われ（ステップＳ１０８）、さらに、キーワード情報でも、いくつかのキーワード情報の項目リスト６２２におけるプルダウンメニューからキーワードの選択（入力）が行われる（ステップＳ１１０）。それぞれ、カテゴリとキーワードとが入力（選択）された状態で、キーワード選択領域の下部側に配置された「検索一覧表示」のボタンが選択されると（ステップＳ１１２）、大分類カテゴリリスト６１２において選択されたカテゴリおよび各キーワード情報の項目リスト６２２において選択された項目のいずれにも該当する商品の抽出処理が行われる（ステップＳ１１４）。ここで、該当する商品が存在する場合は（ステップＳ１１６）、商品情報ＤＢ２５２から商品情報が抽出され、図５（ｂ）に示すような商品リスト７１０を含む商品リスト画面７００が表示される（ステップＳ１１８）。該当する商品が存在しない場合は、本考案にかかる商品検索システム１０の処理を終了する。
【００４０】
商品リスト画面７００が表示されると、商品リスト画面７００の商品リスト７１０から所望の商品を探す。商品リスト７１０に所望の商品が表示されている場合は（ステップＳ１２０）、商品購入の発注処理を行う（ステップＳ１２２）。
発注処理は、たとえば、購買申込画面（図示せず）を用いて行われる。この購買申込画面においては、商品リスト画面７００において特定された商品情報とともに、利用者名、住所、電話番号、クレジット番号等のなど、商品の売買の成立に必要な条件を入力することで行われ、それらの情報が、発注情報として管理装置２００に送信される。
また、管理装置２００は、発注処理がされた場合、必要に応じて、メール送受信部２４０から、発注された商品に対応する販売者端末５００に、商品が発注された内容を表す発注情報を電子メールとして送信する。
【００４１】
また、商品リスト７１０において、所望の商品が表示されなかった場合は（ステップＳ１２０）、再度、検索するために、大分類カテゴリを選択するかまたはキーワード情報の項目を選択するかの処理を行う（ステップＳ１２４）。
【００４２】
一方、さらに、カテゴリ選択領域６１０における下部側に配置された「次へ」のボタンが選択されると（ステップＳ１２６）、大分類カテゴリリスト６１２において選択されたカテゴリにおける小分類カテゴリリストを含む商品検索画面の提示の要求が行われる。
そうすると、図４に示すように、管理装置２００における商品検索部２２０において、商品検索画面６００を表示するために、商品情報ＤＢ２５２から小分類カテゴリが抽出され、小分類カテゴリリストが作成される（ステップＳ２００）。
さらに、商品情報ＤＢ２５２から、予め設定されている複数の商品の特徴を示すキーワード情報の項目をそれぞれ抽出し、キーワード情報の項目の各項目リストを作成した上で（ステップＳ２０２）、作成された小分類カテゴリのリストと作成されたキーワード情報の項目の各項目リストとを含む商品検索画面のＨＴＭＬソースが作成され、利用者端末１００に送信される。
その結果、商品検索部２２０から、図６（ａ）に示すように商品検索画面６３０が、ＷＷＷサーバ部２３０を介して、利用者端末１００の表示部１２０に表示される（ステップＳ２０４）。
【００４３】
図６（ａ）に示す商品検索画面６３０は、小分類カテゴリリスト６３２がプルダウンメニューとして選択（入力）可能に表示されたカテゴリ選択領域６１０と、複数の商品の特徴を示すキーワード情報の項目リスト６２２が、それぞれプルダウンメニューとして選択（入力）可能に表示されたキーワード選択領域６２０とを有する。
【００４４】
なお、商品検索画面６３０におけるカテゴリ選択領域６１０およびキーワード選択領域６２０の構成は、図５（ａ）において説明した商品検索画面６００に対して、大分類カテゴリリスト６１２が小分類カテゴリリスト６３２として表示されていること、およびカテゴリ選択領域６１０において「次へ」のボタンが配置されていないこと、を除き同様であるので、その説明を省略する。
【００４５】
続いて、利用者端末１００において、小分類カテゴリリスト６３２の表示されるプルダウンメニューからカテゴリの選択（入力）が行われ（ステップＳ２０６）、さらに、キーワード情報でも、いくつかのキーワード情報の項目リスト６２２におけるプルダウンメニューからキーワードの選択（入力）が行われる（ステップＳ２０８）。それぞれ、カテゴリとキーワードとが入力（選択）された状態で、キーワード選択領域６２０の下部側に配置された「検索一覧表示」のボタンが選択されると（ステップＳ２１０）、小分類カテゴリリスト６３２において選択されたカテゴリおよび各キーワード情報の項目リスト６２２において選択された項目に該当する商品の抽出処理が行われる（ステップＳ２１２）。該当する商品が存在する場合は（ステップＳ２１４）、商品情報ＤＢ２５２から商品情報が抽出され、図６（ｂ）に示すような商品リスト７１０を含む商品リスト画面７００が表示される（Ｓ２１６）。該当する商品が存在しない場合は、本考案にかかる商品検索システム１０の処理を終了する。
【００４６】
商品リスト画面７００が表示されると、商品リスト画面７００の商品リスト７１０から所望の商品を探す。商品リスト７１０に所望の商品が表示されている場合は（ステップＳ２１８）、ステップＳ１２２と同様の発注処理が行われ（ステップＳ２２０）、適宜、商品購入の発注処理を行うことによって、商品の発注が行われる。
【００４７】
また、商品リスト７１０において、所望の商品が表示されなかった場合は（ステップＳ２１８）、再度、検索するために、小分類カテゴリを選択するかまたはキーワード情報の項目を選択するかの処理を行う（ステップＳ２２２）。
【００４８】
本実施の形態にかかる商品検索システム１０によれば、管理装置２００が、商品情報を格納するための商品情報ＤＢ２５２と、商品情報ＤＢ２５２から商品を検索するための商品検索部２２０とを含み、利用者端末１００に表示させるための商品検索画面が作成され、商品情報ＤＢ２５２に登録される商品情報が、カテゴリの項目および商品の特徴を示すキーワード情報の項目を含み、商品検索画面が、商品情報に基づいて作成されたカテゴリの項目の大分類カテゴリリスト６１２あるいは小分類カテゴリリスト６３２を選択可能に表示するためのカテゴリ選択領域と、商品情報に基づいて作成された複数のキーワード情報の項目のそれぞれに対応する各キーワード情報の項目リスト６２２を選択可能に表示するためのキーワード選択領域とを含むので、効率的に、所望の商品を検索し、選択することができる。
【００４９】
なお、上述の実施の形態では、キーワード選択領域６２０において表示されるキーワード情報の項目は、予め設定されている複数のキーワード情報の項目が表示されるが、これに限るものではない。すなわち、この考案では、キーワード選択領域６２０において表示されるキーワード情報の項目は、カテゴリ選択領域６１０における大分類カテゴリリスト６１２もしくは小分類カテゴリリスト６３２から選択されたカテゴリに応じて、表示される複数のキーワード情報の項目数が変化するようにしてもよい。
そうすることで、商品を検索する際に、適切なキーワード情報の項目におけるキーワード情報の項目リスト６２２からキーワードを選択することが可能となることから、商品の検索も効率よく行うことができ、その結果、商品リスト画面７００において表示される商品同士の比較も適切に行うことができる。
【００５０】
また、上述の実施の形態にかかる商品検索システム１０において、検索結果として商品リスト画面７００に表示される商品リスト７１０は、商品情報における商品を管理するための識別情報の項目の一つである掲載期間情報の期間に該当する商品のみが表示されるようにしてもよい。
そうすることで、商品リスト画面７００に表示される商品リスト７１０には鮮度の高い旬の商品のみが表示されるので、安心かつ安全な商品選びを行うことができる。
【００５１】
さらに、上述の実施の形態にかかる商品検索システム１０において、販売者端末５００を含んでいるが、これに限るものではない。
【００５２】
また、この考案は、前記実施の形態に限定されるものではなく、その要旨の範囲内で種々に変形される。
【産業上の利用可能性】
【００５３】
上述したように、この考案によれば、利用者は、効率よく鮮度の高い商品、すなわち、新鮮なもしくは旬の商品を検索し、選択することを可能とした商品検索システムを提供することができる。
【符号の説明】
【００５４】
１０  商品検索システム
１００  利用者端末
１１０  データ入力部
１２０  表示部
２００  管理装置
２１０  管理部
２２０  商品検索部
２３０  ＷＷＷサーバ部
２４０  メール送受信部
２５０  データベース部
２５２  商品情報データベース
２５４  利用者情報データベース
２５６  販売者情報データベース
３００  管理者端末
３１０  データ入力部
３２０  表示部
４００  ネットワーク
５００  販売者端末
５１０  データ入力部
５２０  表示部
６００、６３０  商品検索画面
６１０  カテゴリ選択領域
６１２  大分類カテゴリリスト
６２０  キーワード選択領域
６２２  キーワード情報の項目リスト
６３２  小分類カテゴリリスト
７００  商品リスト画面
７１０  商品リスト
【図１】
0003191296.tif 000003
【図２】
0003191296.tif 000004
【図３】
0003191296.tif 000005
【図４】
0003191296.tif 000006
【図５】
0003191296.tif 000007
【図６】
0003191296.tif 000008
【手続補正書】
【提出日】平成26年4月9日(2014.4.9)
【手続補正１】
【補正対象書類名】実用新案登録請求の範囲
【補正対象項目名】請求項５
【補正方法】変更
【補正の内容】
【請求項５】
前記販売者端末は、
複数の商品に対する前記商品情報のリストファイルを作成するリストファイル作成手段と、
前記商品情報データベースに商品情報を登録するために、前記作成されたリストファイルを前記管理装置における前記商品情報データベースに対して送信するリストファイル送信手段と、
を含むことを特徴とする、請求項４に記載の商品検索システム。
【手続補正２】
【補正対象書類名】明細書
【補正対象項目名】０００７
【補正方法】変更
【補正の内容】
【０００７】
この考案にかかる商品検索システムは、利用者端末と管理装置とがネットワークを介して接続されており、利用者端末を利用して商品を検索するための商品検索システムであって、管理装置が、商品情報を格納するための商品情報データベースと、商品情報データベースから商品を検索するための商品検索手段と、利用者端末に表示させるための商品検索画面を作成するための商品検索画面作成手段と、を含み、商品情報が、カテゴリの項目および商品の特徴を示すキーワード情報の項目を含み、商品検索画面が、商品情報に基づいて作成されたカテゴリの項目のリストを選択可能に表示するためのカテゴリ選択領域と、商品情報に基づいて作成された複数のキーワード情報の項目のそれぞれに対応する各項目リストを選択可能に表示するためのキーワード選択領域とを含むことを特徴とする、商品検索システムである。
また、この考案にかかる商品検索システムは、利用者端末に表示される商品検索画面において、カテゴリ選択領域において選択可能に表示されたカテゴリの項目のリストから選択されたカテゴリに対応した複数のキーワード情報の項目が、キーワード選択領域に表示されることが好ましい。
さらに、この考案にかかる商品検索システムは、商品情報が、さらに、商品を管理するための識別情報の項目を含み、商品を管理するための識別情報には、少なくとも掲載期間情報を含むことで、商品検索手段による商品検索の結果、掲載期間情報に該当する商品のリストが利用者端末に表示されることが好ましい。
また、この考案にかかる商品検索システムは、さらに、販売者端末を含み、管理装置は、利用者端末から商品検索画面に基づき選択された商品を発注する発注情報を受信したことを販売者端末に電子メールにより知らせるためのメール送受信手段を含むことが好ましい。
さらに、この考案にかかる商品検索システムは、販売者端末が、複数の商品に対する商品情報のリストファイルを作成するリストファイル作成手段と、商品情報データベースに商品情報を登録するために、作成されたリストファイルを管理装置における商品情報データベースに対して送信するリストファイル送信手段と、を含むことが好ましい。
【手続補正３】
【補正対象書類名】明細書
【補正対象項目名】０００８
【補正方法】変更
【補正の内容】
【０００８】
この考案にかかる商品検索システムによれば、管理装置が、商品情報を格納するための商品情報データベースと、商品情報データベースから商品を検索するための商品検索手段と、利用者端末に表示させるための商品検索画面を作成するための商品検索画面作成手段と、を含み、商品情報が、カテゴリの項目および商品の特徴を示すキーワード情報の項目を含み、商品検索画面が、商品情報に基づいて作成されたカテゴリの項目のリストを選択可能に表示するためのカテゴリ選択領域と、商品情報に基づいて作成された複数のキーワード情報の項目のそれぞれに対応する各項目リストを選択可能に表示するためのキーワード選択領域とを含むので、商品検索システムにおいて、効率的に、所望の商品を検索し、選択することができる。
また、利用者端末に表示される商品検索画面において、カテゴリ選択領域において選択可能に表示されたカテゴリの項目のリストから選択されたカテゴリに対応した複数のキーワード情報の項目が、キーワード選択領域に表示される場合は、商品を検索する際に、適切なキーワード情報の項目からキーワードを選択することが可能となることから、商品の検索も効率よく行うことができ、その結果、商品リストの画面において表示される商品同士の比較も適切に行うことができる。
さらに、商品情報が、さらに、商品を管理するための識別情報の項目を含み、商品を管理するための識別情報には、少なくとも掲載期間情報を含む場合は、利用者端末に商品リストの画面に表示される商品リストには鮮度の高い旬の商品のみが表示されるので、安心かつ安全な商品選びを行うことができる。
また、販売者端末を含み、管理装置は、利用者端末から商品検索画面に基づき選択された商品を発注する発注情報を受信したことを販売者端末に電子メールにより知らせるためのメール送受信手段を含むので、販売者は、商品が発注されたことを迅速に知ることができる。
さらに、販売者端末が、複数の商品に対する商品情報のリストファイルを作成するリストファイル作成手段と、商品情報データベースに商品情報を登録するために、作成されたリストファイルを管理装置における商品情報データベースに対して送信するリストファイル送信手段と、を含むので、予め複数の商品に対する商品情報のリストファイルを作成しておくことで、多数の商品の商品情報を同時に商品情報データベースに登録することができる。